(57)【要約】【課題】特定のテーマに沿った画像を表示することができる画像表示装置、通信装置、および画像表示システムを提供する。【解決手段】情報処理部２２は、画像データに関連付けられた位置情報を第１の外部装置へ送信し、当該第１の外部装置から、位置情報に対応するキーワードを含むキーワード情報を受信する。情報処理部２２はキーワード情報を、第１の外部装置と同一または異なる第２の外部装置へ送信し、当該第２の外部装置から、キーワードの分類名であるテーマを含むテーマ情報を受信し、画像データにテーマ情報を関連付ける。情報抽出部２６は、記憶部２５に記憶された画像データの中から、所定のテーマ情報に関連付けられた画像データを抽出する。表示部２９は、抽出された画像データに基づく画像を表示する。【選択図】図２
2010081305.tif 000002
【特許請求の範囲】
【請求項１】
画像データを記憶する記憶部と、
前記画像データに関連付けられた位置情報を第１の外部装置へ送信し、当該第１の外部装置から、前記位置情報に対応するキーワードを含むキーワード情報を受信する第１の通信部と、
前記キーワード情報を、前記第１の外部装置と同一または異なる第２の外部装置へ送信し、当該第２の外部装置から、前記キーワードの分類名であるテーマを含むテーマ情報を受信する第２の通信部と、
前記画像データに前記テーマ情報を関連付ける関連付け部と、
前記記憶部に記憶された前記画像データの中から、所定の前記テーマ情報に関連付けられた前記画像データを抽出する画像抽出部と、
前記画像抽出部によって抽出された前記画像データに基づく画像を表示する表示部と、
を有することを特徴とする画像表示装置。
【請求項２】
前記第１の通信部、前記第２の通信部は、通信を中継する端末を介さないで前記第１の外部装置、前記第２の外部装置と直接無線通信を行うことを特徴とする請求項１に記載の画像表示装置。
【請求項３】
画像データを記憶する第１の記憶部と、
前記位置情報と、キーワードを含むキーワード情報とを関連付けて記憶する第２の記憶部と、
前記キーワード情報と、当該キーワード情報に含まれるキーワードの分類名であるテーマを含むテーマ情報とを関連付けて記憶する第３の記憶部と、
前記第２の記憶部に記憶された前記キーワード情報の中から、前記第１の記憶部に記憶された前記画像データに関連付けられた前記位置情報に関連付けられた前記キーワード情報を抽出するキーワード抽出部と、
前記第３の記憶部に記憶された前記テーマ情報の中から、前記キーワード情報に関連付けられた前記テーマ情報を抽出するテーマ抽出部と、
前記画像データに前記テーマ情報を関連付ける関連付け部と、
前記第１の記憶部に記憶された前記画像データの中から、所定の前記テーマ情報に関連付けられた前記画像データを抽出する画像抽出部と、
前記画像抽出部によって抽出された前記画像データに基づく画像を表示する表示部と、
を有することを特徴とする画像表示装置。
【請求項４】
位置情報と、キーワードを含むキーワード情報とを関連付けて記憶する記憶部と、
外部装置から前記位置情報を受信する受信部と、
前記記憶部に記憶された前記キーワード情報の中から、受信された前記位置情報に関連付けられた前記キーワード情報を抽出するキーワード抽出部と、
前記キーワード抽出部によって抽出された前記キーワード情報を前記外部装置へ送信する送信部と、
を有することを特徴とする通信装置。
【請求項５】
キーワード情報と、当該キーワード情報に含まれるキーワードの分類名であるテーマを含むテーマ情報とを関連付けて記憶する記憶部と、
外部装置から前記キーワード情報を受信する受信部と、
前記記憶部に記憶された前記テーマ情報の中から、受信された前記キーワード情報に関連付けられた前記テーマ情報を抽出するテーマ抽出部と、
前記テーマ抽出部によって抽出された前記テーマ情報を前記外部装置へ送信する送信部と、
を有することを特徴とする通信装置。
【請求項６】
位置情報と、キーワードを含むキーワード情報とを関連付けて記憶する第１の記憶部と、
前記キーワード情報と、当該キーワード情報に含まれるキーワードの分類名であるテーマを含むテーマ情報とを関連付けて記憶する第２の記憶部と、
外部装置から前記位置情報を受信する第１の受信部と、
前記第１の記憶部に記憶された前記キーワード情報の中から、受信された前記位置情報に関連付けられた前記キーワード情報を抽出するキーワード抽出部と、
前記キーワード抽出部によって抽出された前記キーワード情報を前記外部装置へ送信する第１の送信部と、
前記外部装置から前記キーワード情報を受信する第２の受信部と、
前記第２の記憶部に記憶された前記テーマ情報の中から、受信された前記キーワード情報に関連付けられた前記テーマ情報を抽出するテーマ抽出部と、
前記テーマ抽出部によって抽出された前記テーマ情報を前記外部装置へ送信する第２の送信部と、
を有することを特徴とする通信装置。
【請求項７】
画像表示装置と、第１の通信装置と、第２の通信装置とを有する画像表示システムであって、
前記画像表示装置は、
画像データを記憶する第１の記憶部と、
前記画像データに関連付けられた位置情報を前記第１の通信装置へ送信し、当該第１の通信装置から、前記位置情報に対応するキーワードを含むキーワード情報を受信する第１の通信部と、
前記キーワード情報を前記第２の通信装置へ送信し、当該第２の通信装置から、前記キーワードの分類名であるテーマを含むテーマ情報を受信する第２の通信部と、
前記画像データに前記テーマ情報を関連付ける関連付け部と、
前記第１の記憶部に記憶された前記画像データの中から、所定の前記テーマ情報に関連付けられた前記画像データを抽出する画像抽出部と、
前記画像抽出部によって抽出された前記画像データに基づく画像を表示する表示部と、を有し、
前記第１の通信装置は、
前記位置情報と前記キーワード情報とを関連付けて記憶する第２の記憶部と、
前記画像表示装置から前記位置情報を受信する第１の受信部と、
前記第２の記憶部に記憶された前記キーワード情報の中から、受信された前記位置情報に関連付けられた前記キーワード情報を抽出するキーワード抽出部と、
前記キーワード抽出部によって抽出された前記キーワード情報を前記画像表示装置へ送信する第１の送信部と、を有し、
前記第２の通信装置は、
前記キーワード情報と前記テーマ情報とを関連付けて記憶する第３の記憶部と、
前記画像表示装置から前記キーワード情報を受信する第２の受信部と、
前記第３の記憶部に記憶された前記テーマ情報の中から、受信された前記キーワード情報に関連付けられた前記テーマ情報を抽出するテーマ抽出部と、
前記テーマ抽出部によって抽出された前記テーマ情報を前記画像表示装置へ送信する第２の送信部と、を有する
ことを特徴とする画像表示システム。
【請求項８】
画像表示装置と通信装置とを有する画像表示システムであって、
前記画像表示装置は、
画像データを記憶する第１の記憶部と、
前記画像データに関連付けられた位置情報を前記通信装置へ送信し、当該通信装置から、前記位置情報に対応するキーワードを含むキーワード情報を受信する第１の通信部と、
前記キーワード情報を前記通信装置へ送信し、当該通信装置から、前記キーワードの分類名であるテーマを含むテーマ情報を受信する第２の通信部と、
前記画像データに前記テーマ情報を関連付ける関連付け部と、
前記記憶部に記憶された前記画像データの中から、所定の前記テーマ情報に関連付けられた前記画像データを抽出する画像抽出部と、
前記画像抽出部によって抽出された前記画像データに基づく画像を表示する表示部と、を有し、
前記通信装置は、
前記位置情報と前記キーワード情報とを関連付けて記憶する第２の記憶部と、
前記キーワード情報と前記テーマ情報とを関連付けて記憶する第３の記憶部と、
前記画像表示装置から前記位置情報を受信する第１の受信部と、
前記第２の記憶部に記憶された前記キーワード情報の中から、受信された前記位置情報に関連付けられた前記キーワード情報を抽出するキーワード抽出部と、
前記キーワード抽出部によって抽出された前記キーワード情報を前記画像表示装置へ送信する第１の送信部と、
前記画像表示装置から前記キーワード情報を受信する第２の受信部と、
前記第２の記憶部に記憶された前記テーマ情報の中から、受信された前記キーワード情報に関連付けられた前記テーマ情報を抽出するテーマ抽出部と、
前記テーマ抽出部によって抽出された前記テーマ情報を前記画像表示装置へ送信する第２の送信部と、を有する
ことを特徴とする画像表示システム。
【発明の詳細な説明】
【技術分野】
【０００１】
本発明は、画像表示機能および通信機能を有する画像表示装置に関する。また、本発明は、本画像表示装置と通信を行う通信装置にも関する。さらに、本発明は、本画像表示装置および本通信装置を有する画像表示システムにも関する。
【背景技術】
【０００２】
デジタルカメラの普及に伴い、簡単に誰でも写真撮影が行えるようになってきた。写真撮影に興味を持たなかった人々もデジタルカメラを抱えて出掛けるようになり、様々なシーンで写真撮影を楽しんでいる。
【０００３】
撮影した写真を簡単に且つ効果的に閲覧できる方法として、写真を連続で再生しながら表示するスライドショーと呼ばれる機能が知られている。また、楽しみを増す観点で画像を単純に連続再生するだけでなく、スライドショーのテーマ性を考慮して写真の再生順を決めたり、あるひとつのテーマに沿った写真のみ抽出して再生したり、画像再生に合わせてBGMを付与したりするものがあった。
【０００４】
このようなスライドショーは、ユーザ自身が画像を１つ１つ選択しBGMを付与するという手法により作成することが一般的であり、作成が煩わしい。特に、デジタルカメラの普及に伴い、例えば旅行などのイベントでは一度に大量の写真撮影を行うことが多々ある今日、ユーザ自らが大量の写真群の中から、テーマ性を持ったスライドショーを作成するために１つ１つ候補写真を選出することは非常に煩わしい作業である。
【０００５】
そこで、ユーザの利便性を考慮したスライドショー自動生成方法として、主に画像を保存してあるフォルダの単位で画像を抽出してスライドショーを生成する方法や、撮影日時情報を利用して、特定の日付や時間に撮影された画像を抽出してスライドショーを生成する方法があった。ただし、このような方法で生成されたスライドショーでは、撮影者が予め撮影時にテーマ性を考慮して撮影を行わなければ、一貫したテーマ性をスライドショーに持たせることができない。
【０００６】
そこで、スライドショーにテーマ性を持たせる方法として、プレイリスト・テンプレートに記載された条件に従ってメタデータを比較し、条件に合致したメタデータと関連付けられた画像を選択し、スライドショーを生成する方法が提案されている（特許文献１参照）。
【特許文献１】特開２００５−３４０９８７号公報
【発明の開示】
【発明が解決しようとする課題】
【０００７】
しかしながら、特許文献１で提案されているスライドショーの生成方法では、特定の条件（画像中の人物の数や、風景画像であるか否かなど）に一致したメタデータと関連付けられた画像を選択しているため、個々の画像どうしの意味内容の関連性は考慮されていない。したがって、特定のテーマに沿った意味内容を有する画像で構成されるスライドショーを生成することができない。
【０００８】
本発明は、上述した課題に鑑みてなされたものであって、特定のテーマに沿った画像を表示することができる画像表示装置、通信装置、および画像表示システムを提供することを目的とする。
【課題を解決するための手段】
【０００９】
本発明は、上記の課題を解決するためになされたもので、画像データを記憶する記憶部（記憶部２５に対応）と、前記画像データに関連付けられた位置情報を第１の外部装置へ送信し、当該第１の外部装置から、前記位置情報に対応するキーワードを含むキーワード情報を受信する第１の通信部（情報処理部２２、通信部２４に対応）と、前記キーワード情報を、前記第１の外部装置と同一または異なる第２の外部装置へ送信し、当該第２の外部装置から、前記キーワードの分類名であるテーマを含むテーマ情報を受信する第２の通信部（情報処理部２２、通信部２４に対応）と、前記画像データに前記テーマ情報を関連付ける関連付け部（情報処理部２２に対応）と、前記記憶部に記憶された前記画像データの中から、所定の前記テーマ情報に関連付けられた前記画像データを抽出する画像抽出部（情報抽出部２６に対応）と、前記画像抽出部によって抽出された前記画像データに基づく画像を表示する表示部（表示部２９に対応）と、を有することを特徴とする画像表示装置（デジタルカメラ１００１に対応）である。
【００１０】
また、本発明の画像表示装置において、前記第１の通信部、前記第２の通信部は、通信を中継する端末を介さないで前記第１の外部装置、前記第２の外部装置と直接無線通信を行うことを特徴とする。
【００１１】
また、本発明は、画像データを記憶する第１の記憶部（記憶部２５に対応）と、前記位置情報と、キーワードを含むキーワード情報とを関連付けて記憶する第２の記憶部（DB部２７に対応）と、前記キーワード情報と、当該キーワード情報に含まれるキーワードの分類名であるテーマを含むテーマ情報とを関連付けて記憶する第３の記憶部（DB部２７に対応）と、前記第２の記憶部に記憶された前記キーワード情報の中から、前記第１の記憶部に記憶された前記画像データに関連付けられた前記位置情報に関連付けられた前記キーワード情報を抽出するキーワード抽出部（情報抽出部２６に対応）と、前記第３の記憶部に記憶された前記テーマ情報の中から、前記キーワード情報に関連付けられた前記テーマ情報を抽出するテーマ抽出部（情報抽出部２６に対応）と、前記画像データに前記テーマ情報を関連付ける関連付け部と、前記第１の記憶部に記憶された前記画像データの中から、所定の前記テーマ情報に関連付けられた前記画像データを抽出する画像抽出部（情報抽出部２６に対応）と、前記画像抽出部によって抽出された前記画像データに基づく画像を表示する表示部（表示部２９に対応）と、を有することを特徴とする画像表示装置（デジタルカメラ１００１に対応）である。
【００１２】
また、本発明は、位置情報と、キーワードを含むキーワード情報とを関連付けて記憶する記憶部（DB部３３に対応）と、外部装置から前記位置情報を受信する受信部（通信部３１、情報処理部３２に対応）と、前記記憶部に記憶された前記キーワード情報の中から、受信された前記位置情報に関連付けられた前記キーワード情報を抽出するキーワード抽出部（情報処理部３２に対応）と、前記キーワード抽出部によって抽出された前記キーワード情報を前記外部装置へ送信する送信部（通信部３１、情報処理部３２に対応）と、を有することを特徴とする通信装置（意味情報変換端末１００３）である。
【００１３】
また、本発明は、キーワード情報と、当該キーワード情報に含まれるキーワードの分類名であるテーマを含むテーマ情報とを関連付けて記憶する記憶部（DB部４３に対応）と、外部装置から前記キーワード情報を受信する受信部（通信部４１、情報処理部４２に対応）と、前記記憶部に記憶された前記テーマ情報の中から、受信された前記キーワード情報に関連付けられた前記テーマ情報を抽出するテーマ抽出部（テーマ抽出部４４に対応）と、前記テーマ抽出部によって抽出された前記テーマ情報を前記外部装置へ送信する送信部（通信部４１、情報処理部４２に対応）と、を有することを特徴とする通信装置（テーマ情報抽出端末１００４）である。
【００１４】
また、本発明は、位置情報と、キーワードを含むキーワード情報とを関連付けて記憶する第１の記憶部と、前記キーワード情報と、当該キーワード情報に含まれるキーワードの分類名であるテーマを含むテーマ情報とを関連付けて記憶する第２の記憶部と、外部装置から前記位置情報を受信する第１の受信部と、前記第１の記憶部に記憶された前記キーワード情報の中から、受信された前記位置情報に関連付けられた前記キーワード情報を抽出するキーワード抽出部と、前記キーワード抽出部によって抽出された前記キーワード情報を前記外部装置へ送信する第１の送信部と、前記外部装置から前記キーワード情報を受信する第２の受信部と、前記第２の記憶部に記憶された前記テーマ情報の中から、受信された前記キーワード情報に関連付けられた前記テーマ情報を抽出するテーマ抽出部と、前記テーマ抽出部によって抽出された前記テーマ情報を前記外部装置へ送信する第２の送信部と、を有することを特徴とする通信装置（携帯端末１００５に対応）である。
【００１５】
また、本発明は、画像表示装置（デジタルカメラ１００１に対応）と、第１の通信装置（意味情報変換端末１００３に対応）と、第２の通信装置（テーマ情報抽出端末１００４に対応）とを有する画像表示システムであって、前記画像表示装置は、画像データを記憶する第１の記憶部と、前記画像データに関連付けられた位置情報を前記第１の通信装置へ送信し、当該第１の通信装置から、前記位置情報に対応するキーワードを含むキーワード情報を受信する第１の通信部と、前記キーワード情報を前記第２の通信装置へ送信し、当該第２の通信装置から、前記キーワードの分類名であるテーマを含むテーマ情報を受信する第２の通信部と、前記画像データに前記テーマ情報を関連付ける関連付け部と、前記第１の記憶部に記憶された前記画像データの中から、所定の前記テーマ情報に関連付けられた前記画像データを抽出する画像抽出部と、前記画像抽出部によって抽出された前記画像データに基づく画像を表示する表示部と、を有し、前記第１の通信装置は、前記位置情報と前記キーワード情報とを関連付けて記憶する第２の記憶部と、前記画像表示装置から前記位置情報を受信する第１の受信部と、前記第２の記憶部に記憶された前記キーワード情報の中から、受信された前記位置情報に関連付けられた前記キーワード情報を抽出するキーワード抽出部と、前記キーワード抽出部によって抽出された前記キーワード情報を前記画像表示装置へ送信する第１の送信部と、を有し、前記第２の通信装置は、前記キーワード情報と前記テーマ情報とを関連付けて記憶する第３の記憶部と、前記画像表示装置から前記キーワード情報を受信する第２の受信部と、前記第３の記憶部に記憶された前記テーマ情報の中から、受信された前記キーワード情報に関連付けられた前記テーマ情報を抽出するテーマ抽出部と、前記テーマ抽出部によって抽出された前記テーマ情報を前記画像表示装置へ送信する第２の送信部と、を有することを特徴とする画像表示システムである。
【００１６】
また、本発明は、画像表示装置（デジタルカメラ１００１に対応）と通信装置（携帯端末１００５に対応）とを有する画像表示システムであって、前記画像表示装置は、画像データを記憶する第１の記憶部と、前記画像データに関連付けられた位置情報を前記通信装置へ送信し、当該通信装置から、前記位置情報に対応するキーワードを含むキーワード情報を受信する第１の通信部と、前記キーワード情報を前記通信装置へ送信し、当該通信装置から、前記キーワードの分類名であるテーマを含むテーマ情報を受信する第２の通信部と、前記画像データに前記テーマ情報を関連付ける関連付け部と、前記記憶部に記憶された前記画像データの中から、所定の前記テーマ情報に関連付けられた前記画像データを抽出する画像抽出部と、前記画像抽出部によって抽出された前記画像データに基づく画像を表示する表示部と、を有し、前記通信装置は、前記位置情報と前記キーワード情報とを関連付けて記憶する第２の記憶部と、前記キーワード情報と前記テーマ情報とを関連付けて記憶する第３の記憶部と、前記画像表示装置から前記位置情報を受信する第１の受信部と、前記第２の記憶部に記憶された前記キーワード情報の中から、受信された前記位置情報に関連付けられた前記キーワード情報を抽出するキーワード抽出部と、前記キーワード抽出部によって抽出された前記キーワード情報を前記画像表示装置へ送信する第１の送信部と、
前記画像表示装置から前記キーワード情報を受信する第２の受信部と、前記第２の記憶部に記憶された前記テーマ情報の中から、受信された前記キーワード情報に関連付けられた前記テーマ情報を抽出するテーマ抽出部と、前記テーマ抽出部によって抽出された前記テーマ情報を前記画像表示装置へ送信する第２の送信部と、を有することを特徴とする画像表示システムである。
【００１７】
上記において、括弧で括った部分の記述は、後述する本発明の実施形態と本発明の構成要素とを便宜的に対応付けるためのものであり、この記述によって本発明の内容が限定されるわけではない。
【発明の効果】
【００１８】
本発明によれば、画像データに関連付けられた位置情報に対応するキーワード情報が取得され、さらに、このキーワード情報に対応するテーマ情報が取得され、画像データとテーマ情報が関連付けて記憶される。この画像データの中から、所定のテーマ情報に関連付けられた画像データが抽出されるので、特定のテーマに沿った画像を表示することができる。
【発明を実施するための最良の形態】
【００１９】
以下、図面を参照し、本発明の実施形態を説明する。図１は、本発明の一実施形態による画像表示システムの構成を示している。この画像表示システムは、デジタルカメラ１００１、GPS衛星１００２、意味情報変換端末１００３、およびテーマ情報抽出端末１００４を有する。GPS衛星１００２は複数台あるが、図１では代表して１台のみを図示している。
【００２０】
デジタルカメラ１００１は無線通信機能を有し、ネットワークを介して意味情報変換端末１００３、テーマ情報抽出端末１００４と通信を行う。デジタルカメラ１００１が他の中継端末を介さないで意味情報変換端末１００３、テーマ情報抽出端末１００４と直接通信を行う形態でもよい。
【００２１】
デジタルカメラ１００１は位置情報取得機能を有し、GPS衛星１００２と通信を行うことにより、現在の位置情報（緯度および経度の座標）を取得する。
【００２２】
意味情報変換端末１００３は、デジタル地図を表示するWebサービスを提供するサーバであり、このWebサービスの利用者がサーバ上のデジタル地図の適当な地点を選択し、その地点を修飾するキーワードやフレーズを付与できるサービスを提供している。意味情報変換端末１００３はデータベースを含んでおり、位置情報と、その位置を示すキーワードを含むキーワード情報（これ以降、意味情報と呼ぶ）とを関連付けてデータベースに蓄積している。意味情報変換端末１００３は、位置情報を含むメッセージをデジタルカメラ１００１から受信するたびに、位置情報に関連付けられた意味情報をデジタルカメラ１００１に応答する。
【００２３】
テーマ情報抽出端末１００４は、キーワードをグループ化（カテゴライズ）して登録しておくWebサービスを提供するサーバであり、このWebサービスの利用者がサーバ上で複数のキーワードを選択し、選択したキーワード群に対し１つのグループ名称（これ以降、テーマと呼ぶ）を付けて管理できるサービスを提供している。このWebサービスは複数のユーザが利用することが可能であり、多くのユーザがこのWebサービスを利用することで、様々なキーワードが様々な組み合わせでグループ化される。なお、ここで利用するキーワードは、例えば検索サイトで利用者が入力したキーワードを集めたものであってもよい。
【００２４】
テーマ情報抽出端末１００４はデータベースを含んでおり、意味情報と、それに対応するテーマを含むテーマ情報とを関連付けてデータベースに蓄積している。テーマ情報抽出端末１００４は、意味情報を含むメッセージをデジタルカメラ１００１から受信するたびに、意味情報に関連付けられたテーマ情報を抽出し、抽出したテーマ情報をデジタルカメラ１００１に応答する。
【００２５】
次に、デジタルカメラ１００１、意味情報変換端末１００３、テーマ情報抽出端末１００４の構成を説明する。図２はデジタルカメラ１００１の構成を示している。図２に示すように、デジタルカメラ１００１は、撮像部２１、情報処理部２２、位置取得部２３、通信部２４、記憶部２５、情報抽出部２６、DB（データベース）部２７、入力部２８、および表示部２９を有する。
【００２６】
撮像部２１は、写真撮影を行い、画像データを生成する。位置取得部２３は、GPS衛星１００２より位置情報を取得する。通信部２４は、意味情報変換端末１００３やテーマ情報抽出端末１００４などの外部装置から各種情報を取得するために通信を行う。情報処理部２２は、撮像部２１から取得した画像データと、位置取得部２３が取得した位置情報や通信部２４が取得した各種情報とを関連付ける処理を行う。記憶部２５は、画像データや各種情報を記憶する。
【００２７】
情報抽出部２６は、記憶部２５に記憶されている画像データや各種情報から、後述する各種処理によって所望の画像データや各種情報を抽出する。DB部２７は、通信部２４が外部装置から取得した各種情報を管理・保存する。記憶部２５とDB部２７は、異なる記録媒体であってもよいし、同一の記録媒体上の異なる記憶領域であってもよい。表示部２９は、通信部２４が外部装置から取得した情報や、情報抽出部２６によって抽出された画像データに基づくスライドショーを表示する。入力部２８は、ユーザからの入力を受け付ける。
【００２８】
図３は意味情報変換端末１００３の構成を示している。図３に示すように、意味情報変換端末１００３は、通信部３１、情報処理部３２、およびDB部３３を有する。
【００２９】
通信部３１は、デジタルカメラ１００１などの外部装置と通信を行う。DB部３３は、位置情報と意味情報を関連付けて管理・保存する。情報処理部３２は、外部装置との間で送受信されるメッセージの処理を行う。また、情報処理部３２は、DB部３３に保存されている位置情報の中から、通信部３１がデジタルカメラ１００１から受信した位置情報と一致するものを抽出し、その位置情報に関連付けられた意味情報を取得する処理を行う。この処理によって、位置情報が意味情報に変換される。
【００３０】
図４はテーマ情報抽出端末１００４の構成を示している。図４に示すように、テーマ情報抽出端末１００４は、通信部４１、情報処理部４２、DB部４３、およびテーマ抽出部４４を有する。
【００３１】
通信部４１は、デジタルカメラ１００１などの外部装置と通信を行う。情報処理部４２は、外部装置との間で送受信されるメッセージの処理を行う。DB部４３は、意味情報とテーマ情報を関連付けて管理・保存する。テーマ抽出部４４は、DB部４３に保存されている意味情報の中から、通信部４１がデジタルカメラ１００１から受信した意味情報と一致する意味情報を抽出し、その意味情報に関連付けられたテーマ情報を取得する処理を行う。
【００３２】
次に、本実施形態における写真データの構成要素を説明する。図５は写真データの構成要素を示す。図５に示す写真データ５００１はスライドショー再生の際に使用される。写真データ５００１はデジタルカメラ１００１の記憶部２５に保存されている。写真データ５００１を構成する要素として、デジタルカメラ１００１の撮像部２１が取得した画像データ５１と、デジタルカメラ１００１の位置取得部２３が取得した位置情報５２と、その位置情報５２を基にデジタルカメラ１００１の通信部２４が意味情報変換端末１００３より取得した意味情報５３とがある。
【００３３】
次に、本実施形態における位置情報から意味情報への変換方法を説明する。図６は、位置情報の変換モデルをしている。意味情報変換端末１００３は、デジタルカメラ１００１などの外部装置より送信される位置情報５２を受信する。DB部３３には、位置情報と意味情報が、互いに関連付けられた形態で管理・保存されている。受信した位置情報５２と同一の位置情報に関連付けられた意味情報５３がDB部３３より検索され、抽出される。抽出された意味情報５３は、位置情報５２の送信元であるデジタルカメラ１００１などの外部装置へ送信される。
【００３４】
図７（ａ）は、DB部３３内のデータの構成を示している。DB部３３内に管理・保存されているデータは位置情報５２と意味情報５３から構成される。位置情報５２は緯度・経度の座標データである。意味情報５３は、位置情報５２が示す場所を表現するキーワードである。本実施形態におけるキーワードには、フレーズやタグ等も含まれる。
【００３５】
図７（ｂ）は、DB部３３内に管理・保存されている位置情報と意味情報のデータ例を示す。位置情報５２を構成する緯度・経度の座標データが“35.463187,139.620094”であれば、その座標データの位置を意味する情報として、例えば“横浜市西区”、“駅前”、“開港150周年”、“買い物”のようなキーワードが関連付けられている。意味情報は1つ以上のキーワードから構成される。
【００３６】
DB部３３に管理・保存されているキーワードは、ユーザの指示により、適宜更新する形態であればよい。例えば、ウェブサービスを提供するサーバとして意味情報変換端末１００３を運用し、ユーザがクライアント端末（例えばパソコンのブラウザ）からサーバのデジタル地図上で自身の好きな場所を選び、選択した場所にまつわるキーワードを入力することで、DB部３３に管理・保存されているキーワードが更新されるようにすればよい。
【００３７】
次に、本実施形態における意味情報からテーマ情報を抽出する方法を説明する。図８は、テーマ情報の抽出モデルを示している。テーマ情報抽出端末１００４は、デジタルカメラ１００１などの外部装置より送信される意味情報５３を受信する。DB部４３には、意味情報とテーマ情報が、互いに関連付けられた形態で管理・保存されている。受信した意味情報５３と同一の意味情報に関連付けられたテーマ情報５４がDB部４３より検索され、抽出される。抽出されたテーマ情報５４は、意味情報５３の送信元であるデジタルカメラ１００１などの外部装置へ送信される。
【００３８】
図９（ａ）は、DB部４３内に管理・保存されているテーマ情報の構成要素を示している。テーマ情報５４は1つ以上の意味情報５３で構成されている。意味情報５３は、位置情報５２が示す場所を表現するキーワード（フレーズやタグ等を含む）である。本実施形態におけるテーマとは、複数のキーワードをグループ化（分類）したものである。
【００３９】
図９（ｂ）は、DB部４３内のキーワードとテーマの関係を示す。DB部４３内には様々なキーワードが含まれている。これらキーワードがグループ化され、それぞれに対してテーマ９２１、テーマ９２２、テーマ９２３のようにテーマが付与される。例えばキーワード９２４のように、キーワードは複数のテーマにまたがってもよい。
【００４０】
なお、DB部４３に管理・保存されているキーワードやテーマは、ユーザの指示により、適宜更新する形態であればよい。例えば、ウェブサービスを提供するサーバとしてテーマ情報抽出端末１００４を運用し、ユーザがテーマ名称を決め、クライアント端末（例えばパソコン上のブラウザ）を用いて、DB部４３内に管理・保存されている意味情報（キーワード）の中から、自身の決めたテーマに沿った（好みの）意味情報を選択することで、DB部４３が更新されるようにすればよい。
【００４１】
図１０は、DB部４３内に管理・保存されている意味情報とテーマ情報の例を示している。例えば、“ショッピング” というテーマ名には、“横浜市西区”、“駅前”、“買い物”、“空港”などの“ショッピング”に関係するキーワードが関連付けられている。
【００４２】
図１１は、具体的な意味情報からテーマ情報を抽出する例を示している。写真データ５００１の画像データ５１に付与されている意味情報５３に含まれるキーワードが“横浜市西区”、“駅前”、“開港150周年”、“買い物”であり、図１０のようなDB部４３が構築されている場合、各キーワードに関連付けられたテーマとして、“ショッピング”、“ショッピング”、“名所めぐり”、“ショッピング”というテーマが抽出される。
【００４３】
写真が複数あり、2枚目の写真では、意味情報５３に“京都市”、“池田屋跡”、“坂本竜馬”、“幕末”というキーワードが含まれる場合、それぞれのキーワードに対して、“幕末の動乱、名所めぐり”、“幕末の動乱、名所めぐり”、“幕末の動乱”、“幕末の動乱”というテーマが抽出される。
【００４４】
以上のようにして、複数のテーマが抽出される。上記の例では、“ショッピング”、“幕末の動乱”、“名所めぐり”という３つのテーマが抽出される。ユーザは、デジタルカメラ１００１の入力部２８を介して、抽出されたテーマの中から所望のテーマを選択することにより、所望のテーマに沿ったスライドショーを楽しむことができる。スライドショーを生成する処理の詳細は後述する。
【００４５】
次に、本実施形態による画像表示システム全体の動作を説明する。図１２は、画像表示システムを構成するデジタルカメラ１００１、意味情報変換端末１００３、テーマ情報抽出端末１００４の動作シーケンスを示している。まず、写真撮影時のシーケンスについて説明する。
【００４６】
デジタルカメラ１００１は写真撮影を行い、撮影位置に係る位置情報をGPS衛星１００２から取得した後、意味情報変換端末１００３へ位置情報を送信する（ステップＳ１０１）。意味情報変換端末１００３は、位置情報を受信した後、自身のDB部３３に管理・保存されている情報に基づいて、受信した位置情報に対応する意味情報を検索する（ステップＳ１０２）。意味情報を検索した後、意味情報変換端末１００３は、適合した意味情報をデジタルカメラ１００１へ送信する（ステップＳ１０３）。上記のシーケンスが写真撮影時の通信シーケンスとなる。
【００４７】
次に、スライドショー再生のために行う通信シーケンスについて説明する。デジタルカメラ１００１は、自身に蓄積されている各写真データに付与された意味情報をテーマ情報抽出端末１００４へ送信する（ステップＳ１０４）。意味情報を受信したテーマ情報抽出端末１００４は、自身のDB部４３に管理・保存されている情報に基づいて、受信した意味情報に対応するテーマ情報を抽出する（ステップＳ１０５）。テーマ情報を抽出した後、テーマ情報抽出端末１００４はデジタルカメラ１００１へテーマ情報を送信する（ステップＳ１０６）。上記のシーケンスが、スライドショー再生のために行う通信シーケンスである。
【００４８】
次に、デジタルカメラ１００１の動作を説明する。図１３は、デジタルカメラ１００１の全体処理の手順を示している。デジタルカメラ１００１は、動作モードとして撮影モード、意味情報取得モード、および再生モードを有する。撮影を開始する際、情報処理部２２は、動作モードが撮影モードであるかどうかを判定する（ステップＳ１００１）。動作モードが撮影モードである場合、デジタルカメラ１００１は写真撮影を行い、画像データを記憶部２５に格納する（ステップＳ１００２）。
【００４９】
撮影後、情報処理部２２は、撮影を行った位置の位置情報を、位置取得部２３を介して取得し、確認を行う（ステップＳ１００３）。位置情報が取得できなかった場合、情報処理部２２は、画像データに位置情報も意味情報も付与せずに処理を終了し、次の撮影準備に入る。位置情報が取得できた場合、情報処理部２２は、撮影した画像データに対して、取得した位置情報を付与する（ステップＳ１００４）。
【００５０】
続いて、情報処理部２２は、動作モードが意味情報取得モードであるかどうかを判定する（ステップＳ１００５）。動作モードが意味情報取得モードでない場合、このタイミングでは意味情報は取得されず、写真撮影後、改めて意味情報が取得される。続いて、情報処理部２２は、取得した位置情報に基づいて意味情報を取得し画像データに関連付ける処理（意味情報関連付け処理）を行う（ステップＳ１００６）。
【００５１】
図１４は、意味情報関連付け処理（ステップＳ１００６）の詳細を示している。まず、情報処理部２２は、記憶部２５に撮影済み写真のデータがあるかどうかを確認する（ステップＳ１０２１）。撮影済み写真のデータが無い場合、処理が終了し、撮影準備へ戻る。撮影済み写真のデータがある場合、情報処理部２２は、そのデータに関連付ける意味情報を既に取得済みであるかどうかを確認する（ステップＳ１０２２）。
【００５２】
対象となる撮影済み写真のデータに関連付ける意味情報が既に取得されている場合、情報処理部２２は、他に撮影済み写真があるかどうかを確認する（ステップＳ１０２２）。ただし、動作モードが撮影モード且つ意味取得モードである場合、情報処理部２２は撮影済み写真を確認せずに撮影準備へ戻る。対象となる撮影済み写真のデータに関連付ける意味情報が取得されていない場合、情報処理部２２は、記憶部２５に格納されている写真データに付与されている位置情報を取り出す（ステップＳ１０２３）。続いて、情報処理部２２は、取り出した位置情報に基づく意味情報取得処理を行う（ステップＳ１０２４）。
【００５３】
図１５は、意味情報取得処理（ステップＳ１０２４）の詳細を示している。まず、情報処理部２２は、通信部２４が通信可能状態であるか、つまり、意味情報が取得可能かどうかを確認する（ステップＳ１０３１）。意味情報が取得できない状態にある場合、情報処理部２２は処理を中断する。意味情報が取得可能な場合、情報処理部２２は、ステップＳ１０２３で取り出した位置情報を、通信部２４を介して意味情報変換端末１００３へ送信する（ステップＳ１０３２）。
【００５４】
この位置情報を受信した意味情報変換端末１００３は、位置情報に対応した意味情報をデジタルカメラ１００１へ送信する。デジタルカメラ１００１の情報処理部２２は、意味情報変換端末１００３から送信された意味情報を、通信部２４を介して受信し、DB部２７へ保存する（ステップＳ１０３３）。さらに、情報処理部２２は、受信した意味情報を画像データに関連付ける（ステップＳ１０３４）。
【００５５】
上記の意味情報取得処理にて意味情報を取得し、画像データに意味情報を関連付けた後、情報処理部２２は、位置情報と意味情報を付与した画像データを含む写真データとして、画像データ、位置情報、および意味情報を互いに関連付けて記憶部２５へ保存する（ステップＳ１０２５）。この時、画像データに意味情報を付与するのではなく、画像データと意味情報の関連付けが可能な形式で、DB部２７に関連付けリストを記憶する方式でもよい。上記の処理により、撮影写真に意味情報を付与することが可能になる。
【００５６】
次に、デジタルカメラ１００１の画像再生時の動作を、再度図１３を参照しながら説明する。情報処理部２２は、動作モードが撮影モードであるかどうかを判定する（ステップＳ１００１）。この時点で動作可能なモードは撮影モードと再生モードであるので、動作モードが撮影モードではない場合、再生モードであることがわかる。写真再生を行う際、情報処理部２２は、全ての撮影済み写真に対して一括して意味情報を取得するかどうかを確認する（ステップＳ１０１１）。
【００５７】
各写真データに関連付ける意味情報を既に取得済みである場合、情報処理部２２は、一括して意味情報の取得は行わない。一括して意味情報を取得する場合、情報処理部２２は、図１４に示した意味情報関連付け処理を行う（ステップＳ１０１７）。各写真データに意味情報が付与されていることが確認できた後、情報処理部２２および情報抽出部２６はテーマ抽出処理を行う（ステップＳ１０１２）。
【００５８】
図１６は、テーマ抽出処理（ステップＳ１０１２）の詳細を示している。まず、情報抽出部２６は、記憶部２５に保存されている写真データのうち、意味情報が付与されている写真データがあるかどうかを確認する（ステップＳ１０４１）。意味情報が付与された写真データがある場合、情報抽出部２６は写真データから意味情報を取り出し、情報処理部２２に渡す（ステップＳ１０４２）。情報処理部２２は、取り出された意味情報を、通信部２４を介してテーマ情報抽出端末１００４へ送信する（ステップＳ１０４３）。
【００５９】
この意味情報を受信したテーマ情報抽出端末１００４は、意味情報に対応したテーマ情報をデジタルカメラ１００１へ送信する。デジタルカメラ１００１の情報処理部２２は、テーマ情報抽出端末１００４から送信されたテーマ情報を、通信部２４を介して受信する（ステップＳ１０４４）。テーマ情報の受信後、情報処理部２２は、DB部２７にテーマリストが存在するかどうかを確認する（ステップＳ１０４５）。
【００６０】
図１７はテーマリストの例を示している。テーマリストは、写真データ毎の写真ID（写真データを識別する唯一の情報であり、ここではファイル名を意味する）に対してテーマが関連付けられたリストであり、DB部２７に管理・保存されている。例えば図１７では、写真IDが“DSC100001.JPG”の写真データに対して、“ショッピング”および“名所めぐり”というテーマが関連付けられている。
【００６１】
DB部２７にテーマリストが存在しない場合、情報処理部２２はテーマリストを新規に作成する（ステップＳ１０４７）。DB部２７に既にテーマリストが存在する場合、情報処理部２２は、受信したテーマ情報をテーマリストへ追加し、テーマリストを更新する（ステップＳ１０４６）。
【００６２】
テーマリストの生成（ステップＳ１０４７）またはテーマリストの更新（ステップＳ１０４６）を実施した後、意味情報が付与された写真データがあるかどうかの確認へ処理が戻る（ステップＳ１０４１）。テーマ抽出処理が完了した後、図１３に処理が戻り、情報処理部２２は表示部２９にテーマの一覧を表示させる（ステップＳ１０１３）。
【００６３】
図１８は、再生するテーマの一覧の表示イメージを示している。図１８に示すように、写真データ群より抽出されたテーマの一覧が表示部２９に表示される。この時、ユーザは、入力部２８の操作により、表示されているテーマの一覧からいずれかのテーマを選択することができる。情報処理部２２は、入力部２８の操作内容に応じて、どのテーマが選択されたのかを識別する（ステップＳ１０１４）。テーマの選択後、情報処理部２２および情報抽出部２６は写真再生処理を行う（ステップＳ１０１５）。
【００６４】
図１９は、写真再生処理（ステップＳ１０１５）の詳細を示している。まず、情報抽出部２６は、テーマリストより選択されたテーマに合致する写真ID（ここではファイル名）を有する写真データを記憶部２５から抽出し、情報処理部２２に渡す（ステップＳ１０５１）。
【００６５】
図２０は、再生する写真データの抽出方法を示している。例えばユーザが“名所めぐり”というテーマを選択した場合、図１７に示すテーマリストに従って、“名所めぐり”というテーマに関連付けられた写真ID “DSC100001.JPG”、“DSC100002.JPG”、“DSC100050.JPG”を有する写真データが再生対象として抽出される。
【００６６】
続いて、情報処理部２２は、抽出された写真データが既に再生済みであるかどうかを確認する（ステップＳ１０５２）。抽出された写真データが未再生の場合、情報処理部２２は、抽出された写真データのうちの１つを表示部２９へ出力し、写真を表示させる（ステップＳ１０５３）。情報処理部２２は、再生が済んだ写真データに対して、そのことが分かるような管理を行う。
【００６７】
写真の表示後、情報処理部２２は、次の写真を表示するために、まだ再生していない写真データがあるかどうかを確認する（ステップＳ１０５２）。これ以降、上記の処理を繰り返し、テーマに合致した写真データをすべて再生することで、スライドショーの再生が実現される。なお、上記の処理により、テーマに合致した写真データが１つだけであった場合も、その写真データに基づく写真のみが表示部２９に表示される。
【００６８】
ユーザが選択したテーマに合致した写真データの再生が終了した後、図１３に処理が戻り、情報処理部２２は、再生モードを終了するかどうかを確認する（ステップＳ１０１６）。再生モードを終了する場合、動作モードが撮影モードとなり、動作モードが再生モードであるかどうかの確認へ処理が戻る（ステップＳ１００１）。再生モードを終了しない場合、処理がテーマ一覧の表示へ戻り（ステップＳ１０１３）、ユーザによるテーマの選択が行われる（ステップＳ１０１４）。以上の処理により、ユーザが撮影した写真群の中から、所望のテーマに沿った写真を抽出し、スライドショーにして再生することが可能になる。
【００６９】
図１９の写真再生処理において、再生される写真データの順番はどのような順番でもよいが、例えば撮影日時に基づいて再生順を決定してもよい。あるいは、以下のように、写真データに付与された位置情報に基づいて再生順を決定してもよい。情報抽出部２６は、写真データの再生順を決定するための位置情報を、記憶部２５に記憶されている再生対象の写真データから抽出し、情報処理部２２に渡す。情報処理部２２は、以下の２つの方法のいずれかにより、写真データの再生順を決定する。
【００７０】
図２１（ａ）は、写真データの再生順を決定する第１の方法を示している。地点２１００〜２１０５は、再生対象の写真データに付与された位置情報に基づく地点を示している。第１の方法では、まず、情報処理部２２は基準位置を決定する。基準位置の決定方法はどのような方法でもよい。例えば、任意の写真データに付与された位置情報が示す位置を基準位置としてもよいし、撮影日時が最も早い写真データに付与された位置情報が示す位置を基準位置としてもよい。図２１（ａ）では、地点２１００が基準位置に決定されている。図２１（ａ）中の破線は、この地点２１００から等距離にある地点を結んだ線である。基準位置に決定された地点２１００に対応した写真データが最初に再生される。
【００７１】
続いて、情報処理部２２は、地点２１００からの距離が近い順に各地点を選択し、各地点が選択された順番を、各地点に対応した写真データの再生順とする。図２１（ａ）では、地点２１００に最も近いのは地点２１０１であり、地点２１０１に対応した写真データが２番目に再生される。地点２１０１の次に地点２１００に近いのは地点２１０２であり、地点２１０２に対応した写真データが３番目に再生される。同様に、地点２１０３，２１０４，２１０５の各地点に対応した写真データがそれぞれ４番目、５番目、６番目に再生される。
【００７２】
図２１（ｂ）は、写真データの再生順を決定する第２の方法を示している。地点２１１０〜２１１５は、再生対象の写真データに付与された位置情報に基づく地点を示している。第２の方法でも、まず、第１の方法と同様に基準位置が決定される。図２１（ｂ）では、地点２１１０が基準位置に決定されている。図２１（ｂ）中の破線は、この地点２１１０から等距離にある地点を結んだ線である。基準位置に決定された地点２１１０に対応した写真データが最初に再生される。
【００７３】
続いて、情報処理部２２は、１つ前に選択した地点からの距離が最も近い地点を選択することを繰り返し、各地点が選択された順番を、各地点に対応した写真データの再生順とする。図２１（ｂ）では、地点２１１０に最も近い未選択の地点は地点２１１１であり、地点２１１１に対応した写真データが２番目に再生される。続いて、地点２１１１に最も近い未選択の地点は地点２１１２であり、地点２１１２に対応した写真データが３番目に再生される。続いて、地点２１１２に最も近い未選択の地点は地点２１１４であり、地点２１１４に対応した写真データが４番目に再生される。同様に、地点２１１５，２１１３の各地点に対応した写真データがそれぞれ５番目、６番目に再生される。
【００７４】
次に、意味情報変換端末１００３の動作を説明する。図２２は、意味情報変換端末１００３の処理手順を示している。意味情報変換端末１００３のDB部３３には、互いに関連付けられた位置情報と意味情報が予め保存されている。まず、意味情報変換端末１００３は、デジタルカメラ１００１から送信される位置情報の受信待ち状態にある（ステップＳ１３１１）。
【００７５】
意味情報変換端末１００３の情報処理部３２は、通信部３１を介して、デジタルカメラ１００１からの位置情報を受信すると、その位置情報と同一の位置情報に関連付けられた意味情報をDB部３３から検索する（ステップＳ１３１２）。検索の結果、情報処理部３２は、受信した位置情報に対応する意味情報があるかどうかを確認する（ステップＳ１３１３）。意味情報が抽出できた場合、情報処理部３２は、通信部３１を介して意味情報をデジタルカメラ１００１へ送信する（ステップＳ１３１４）。検索の結果、意味情報が抽出できなかった場合、情報処理部３２は、意味情報が無いことを示す情報を、通信部３１を介してデジタルカメラ１００１へ送信する（ステップＳ１３１５）。
【００７６】
次に、テーマ情報抽出端末１００４の動作を説明する。図２３は、テーマ情報抽出端末１００４の処理手順を示している。テーマ情報抽出端末１００４のDB部４３には、互いに関連付けられた意味情報とテーマ情報が予め保存されている。まず、テーマ情報抽出端末１００４は、デジタルカメラ１００１より送信される意味情報の受信待ち状態にある（ステップＳ１４１１）。
【００７７】
テーマ情報抽出端末１００４の情報処理部４２は、通信部４１を介して、デジタルカメラ１００１からの意味情報を受信すると、テーマ抽出部４４にその意味情報を渡す。テーマ抽出部４４は、受信した意味情報と同一の意味情報に対応するテーマ情報をDB部４３から検索する（ステップＳ１４１２）。検索の結果、テーマ抽出部４４は、受信した意味情報に対応するテーマ情報があるかどうかを確認する（ステップＳ１４１３）。
【００７８】
受信した意味情報に対応するテーマ情報がある場合、テーマ抽出部４４は、抽出したテーマ情報の中に重複するテーマ情報があるかどうかを確認し、重複するテーマ情報があれば、それらを整理する（ステップＳ１４１４）。重複するテーマを整理した後、情報処理部４２は、テーマ抽出部４４による処理の結果に基づいて、受信した意味情報に対応するテーマ情報をデジタルカメラ１００１へ送信する（ステップＳ１４１６）。
【００７９】
受信した意味情報に対応するテーマ情報がない場合、情報処理部４２は、テーマ抽出部４４による処理の結果に基づいて、テーマ情報が無いことを示す情報を、通信部４１を介してデジタルカメラ１００１へ送信する（ステップＳ１４１５）。
【００８０】
次に、本実施形態の変形例を説明する。図２４は意味情報変換端末１００３の変形例を示している。図２４に示す構成のうち、通信部３１、情報処理部３２、DB部３３は、図３に示す構成と変わらない。位置取得部３４は、GPS衛星１００２と通信を行い、位置情報を取得する。入力部３５は、位置取得部３４が取得した位置情報に関連付ける意味情報をユーザが入力するためのものである。表示部３６は入力結果を表示する。デジタルカメラ１００１から位置情報を受信した場合の意味情報変換端末１００３の動作は、図２２に示した動作と同様となる。
【００８１】
図２５は、意味情報変換端末１００３がDB部３３に保存されている情報を更新する処理を示している。意味情報変換端末１００３は動作モードとして意味情報設定モードを有する。意味情報設定モードでは、位置取得部３４が取得した位置情報に対して、入力部３５を介してユーザが入力した意味情報（文字などのキーワード）を関連付ける処理が行われる。
【００８２】
まず、情報処理部３２は、動作モードが意味情報設定モードかどうかを判断する（ステップＳ１３２１）。動作モードが意味情報設定モードでない場合、情報処理部３２は処理を終了する。動作モードが意味情報設定モードである場合、情報処理部３２は位置取得部３４から位置情報を取得し、確認を行う（ステップＳ１３２２）。位置情報が取得できた場合、情報処理部３２は、その位置情報に関連付ける意味情報の入力を入力部３５から受け付ける（ステップＳ１３２３）。仮に、位置情報が取得できなかった場合、情報処理部３２は処理を終了する。
【００８３】
入力部３５を介してユーザが意味情報を入力した後、情報処理部３２は、取得した位置情報と、入力された意味情報とを関連付け（ステップＳ１３２４）、DB部３３へ保存する（ステップＳ１３２５）。以上の処理により、意味情報変換端末１００３のDB部３３に保存される位置情報と意味情報を更新することができる。また、ユーザ自身が入力を行うことが可能であるため、ユーザ好みのデータベースを構築することが可能になる。
【００８４】
図２６はテーマ情報抽出端末１００４の変形例を示している。図２６に示す構成のうち、通信部４１、情報処理部４２、テーマ抽出部４４、DB部４３は、図４に示す構成と変わらない。入力部４５は、意味情報に関連付けるテーマ情報をユーザが入力するためのものである。表示部４６は、DB部４３に管理・保存されている意味情報を表示する。関連決定部４７は、表示部４６に表示された意味情報を、ユーザが入力したテーマ情報と関連付ける。デジタルカメラ１００１から意味情報を受信した場合のテーマ情報抽出端末１００４の動作は、図２３に示した動作と同様となる。
【００８５】
図２７は、テーマ情報抽出端末１００４がDB部４３に保存されている情報を更新する処理を示している。テーマ情報抽出端末１００４は動作モードとしてテーマ設定モードを有する。テーマ設定モードでは、DB部４３に管理・保存されている意味情報に対して、入力部４５を介してユーザが入力したテーマ情報（文字などのキーワード）を関連付ける処理が行われる。
【００８６】
まず、情報処理部４２は、動作モードがテーマ設定モードであるかどうかを判断する（ステップＳ１４２１）。動作モードがテーマ設定モードである場合、情報処理部４２は、登録済みの意味情報（DB部４３に管理・保存されている意味情報）を表示部４６に表示させる（ステップＳ１４２２）。意味情報の表示方法は、例えばリスト形式で複数の意味情報を表示するという方法である。
【００８７】
表示部４６に表示されている意味情報の中から、ユーザは、入力部４５を介して1つ以上の意味情報を選択する（ステップＳ１４２３）。続いて、ユーザは、入力部４５を介してテーマ情報を入力する（ステップＳ１４２４）。関連決定部４７は、ユーザが選択した1つ以上の意味情報と、ユーザが入力したテーマ情報とを関連付ける（ステップＳ１４２６）。この関連付けは、ユーザが入力したテーマ情報で意味情報をグループ化することを意味する。
【００８８】
意味情報とテーマ情報の関連付けを行った後、関連決定部４７はDB部４３を更新する（ステップＳ１４２６）。続いて、情報処理部４２は、テーマ設定モードを終了するかどうかを判定する（ステップＳ１４２７）。テーマ設定モードを終了する場合、情報処理部４２は処理を終了する。テーマ設定モードを継続する場合、情報処理部４２は、登録済みの意味情報を表示部４６に再表示させる（ステップＳ１４２２）。以上の処理により、テーマ情報抽出端末１００４のDB部４３に保存される意味情報とテーマ情報の対応関係を更新することができる。また、ユーザ自身が入力を行うことが可能であるため、ユーザ好みのデータベースを構築することが可能になる。
【００８９】
図２８は、画像表示システムの変形例を示している。この画像表示システムは、デジタルカメラ１００１、GPS衛星１００２、および携帯端末１００５を有する。GPS衛星１００２は複数台あるが、図２８では代表して１台のみを図示している。
【００９０】
デジタルカメラ１００１は位置情報取得機能を有し、GPS衛星１００２と通信を行うことにより、現在の位置情報（緯度および経度の座標）を取得する。また、デジタルカメラ１００１は無線通信機能を有し、携帯端末１００５と通信を行う。携帯端末１００５は、図１に示した意味情報変換端末１００３とテーマ情報抽出端末１００４の構成を有している。なお、携帯端末１００５は、意味情報変換端末１００３とテーマ情報抽出端末１００４が有するWebサービスを含む必要はない。デジタルカメラ１００１および携帯端末１００５は、通信インフラが整備されていない環境であっても、アドホックネットワークを構成し、Peer to Peer通信を行う機能を有する。
【００９１】
携帯端末１００５は、デジタルカメラ１００１から位置情報または意味情報を受信した場合、直ちにそれに対する応答を返す。携帯端末１００５が位置取得部および入力部を有している場合、ユーザが所望の場所で位置情報を取得し、その場所にまつわるキーワードを入力することで、図３のDB部３３に相当するDB部の更新が可能なようにしてもよい。また、携帯端末１００５が表示部および入力部を有している場合、ユーザがキーワードを表示部に表示させると共に所望のテーマ情報を入力し、テーマに沿ったユーザ好みのキーワードを選択することでグループ化を行い、グループ化後のキーワードに対して、入力したテーマ情報を関連付けることで、図４のDB部４３に相当するDB部の更新が可能なようにしてもよい。
【００９２】
上記以外の他の変形例として、デジタルカメラ１００１において、DB部２７が意味情報変換端末１００３のDB部３３およびテーマ情報抽出端末１００４のDB部４３の機能を有すると共に、情報抽出部２６が、位置情報に対応する意味情報をDB部２７から抽出する機能、および抽出した意味情報に対応するテーマ情報をDB部２７から抽出する機能を有してもよい。この場合、デジタルカメラ１００１は、外部装置に情報の取得を要求することなく、意味情報とテーマ情報を取得することが可能になる。
【００９３】
上述したように、本実施形態によれば、画像データに関連付けられた位置情報に対応するキーワード情報が取得され、さらに、このキーワード情報に対応するテーマ情報が取得され、画像データとテーマ情報が関連付けて記憶される。この画像データの中から、所定のテーマ情報に関連付けられた画像データが抽出されるので、特定のテーマに沿った画像を表示することができる。
【００９４】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００９５】
【図１】本発明の一実施形態による画像表示システムの構成を示す構成図である。
【図２】本発明の一実施形態によるデジタルカメラの構成を示すブロック図である。
【図３】本発明の一実施形態による意味情報変換端末の構成を示すブロック図である。
【図４】本発明の一実施形態によるテーマ情報抽出端末の構成を示すブロック図である。
【図５】本発明の一実施形態における写真データの構成要素を示す参考図である。
【図６】本発明の一実施形態における位置情報の変換モデルを示す参考図である。
【図７】本発明の一実施形態による意味情報変換端末が有するDB部内のデータを示す参考図である。
【図８】本発明の一実施形態におけるテーマ情報の抽出モデルを示す参考図である。
【図９】本発明の一実施形態によるテーマ情報抽出端末が有するDB部内のデータを示す参考図である。
【図１０】本発明の一実施形態における意味情報とテーマ情報の例を示す参考図である。
【図１１】本発明の一実施形態におけるテーマ情報の抽出例を示す参考図である。
【図１２】本発明の一実施形態による画像表示システムの動作を示すシーケンス図である。
【図１３】本発明の一実施形態によるデジタルカメラの動作（全体処理）の手順を示すフローチャートである。
【図１４】本発明の一実施形態によるデジタルカメラの動作（意味情報関連付け処理）の手順を示すフローチャートである。
【図１５】本発明の一実施形態によるデジタルカメラの動作（意味情報取得処理）の手順を示すフローチャートである。
【図１６】本発明の一実施形態によるデジタルカメラの動作（テーマ抽出処理）の手順を示すフローチャートである。
【図１７】本発明の一実施形態におけるテーマリストの例を示す参考図である。
【図１８】本発明の一実施形態における再生テーマの一覧の表示イメージを示す参考図である。
【図１９】本発明の一実施形態によるデジタルカメラの動作（写真再生処理）の手順を示すフローチャートである。
【図２０】本発明の一実施形態における写真データの抽出方法を説明するための参考図である。
【図２１】本発明の一実施形態における写真データの再生順の決定方法を説明するための参考図である。
【図２２】本発明の一実施形態による意味情報変換端末の動作の手順を示すフローチャートである。
【図２３】本発明の一実施形態によるテーマ情報抽出端末の動作の手順を示すフローチャートである。
【図２４】本発明の一実施形態による意味情報変換端末（変形例）の構成を示すブロック図である。
【図２５】本発明の一実施形態による意味情報変換端末（変形例）の動作の手順を示すフローチャートである。
【図２６】本発明の一実施形態によるテーマ情報抽出端末（変形例）の構成を示すブロック図である。
【図２７】本発明の一実施形態によるテーマ情報抽出端末（変形例）の動作の手順を示すフローチャートである。
【図２８】本発明の一実施形態による画像表示システム（変形例）の構成を示す構成図である。
【符号の説明】
【００９６】
２１・・・撮像部、２２，３２，４２・・・情報処理部、２３，３４・・・位置取得部、２４，３１，４１・・・通信部、２５・・・記憶部、２６・・・情報抽出部、２７，３３，４３・・・DB部、２８，３５，４５・・・入力部、２９，３６，４６・・・表示部、４４・・・テーマ抽出部、４７・・・関連決定部、１００１・・・デジタルカメラ、１００２・・・GPS衛星、１００３・・・意味情報変換端末、１００４・・・テーマ情報抽出端末、１００５・・・携帯端末
【図１】
2010081305.tif 000003
【図２】
2010081305.tif 000004
【図３】
2010081305.tif 000005
【図４】
2010081305.tif 000006
【図５】
2010081305.tif 000007
【図６】
2010081305.tif 000008
【図７】
2010081305.tif 000009
【図８】
2010081305.tif 000010
【図９】
2010081305.tif 000011
【図１０】
2010081305.tif 000012
【図１１】
2010081305.tif 000013
【図１２】
2010081305.tif 000014
【図１３】
2010081305.tif 000015
【図１４】
2010081305.tif 000016
【図１５】
2010081305.tif 000017
【図１６】
2010081305.tif 000018
【図１７】
2010081305.tif 000019
【図１８】
2010081305.tif 000020
【図１９】
2010081305.tif 000021
【図２０】
2010081305.tif 000022
【図２１】
2010081305.tif 000023
【図２２】
2010081305.tif 000024
【図２３】
2010081305.tif 000025
【図２４】
2010081305.tif 000026
【図２５】
2010081305.tif 000027
【図２６】
2010081305.tif 000028
【図２７】
2010081305.tif 000029
【図２８】
2010081305.tif 000030